(57)【要約】【課題】スロットマシーンのメダル受け皿およびコインケースを改造することなく、メダル受け皿におけるメダルの貯留量を実質的に増加させることができるコインケース取付具を提供することである。【解決手段】コインケースの上縁部を引っ掛け可能な引っ掛け部１４を有する本体１１と、該本体１１をスロットマシーンに形成されたメダル受け皿に引っ掛け可能なフック部１５とからなる。【選択図】図１
2007289485.tif 000002
【特許請求の範囲】
【請求項１】
コインケースの上縁部を引っ掛け可能な引っ掛け部を有する本体と、該本体をスロットマシーンに形成されたメダル受け皿に引っ掛け可能なフック部とからなるコインケース取付具。
【請求項２】
請求項１に記載のコインケース取付具であって、
前記コインケースの側面は、該底面に対して該開口面が広がるように傾斜しており、
前記コインケースの上縁部を引っ掛け状態で前記メダル受け皿に引っ掛けると、該コインケースの底面が略水平状態となるように該コインケースの側面が押し当てられる押し当て部を備えている前記コインケース取付具。
【請求項３】
請求項１〜２のいずれかに記載のコインケース取付具であって、
前記引っ掛け部および前記フック部は、前記本体の一部を折り曲げることで形成されているコインケース取付具。
【請求項４】
請求項１〜２のいずれかに記載のコインケース取付具であって、
前記フック部は、前記本体と接合されている棒部材の両端を折り曲げられ形成されているコインケース取付具。
【発明の詳細な説明】
【技術分野】
【０００１】
本発明は、コインケース取付具に関し、詳しくは、コインケースをスロットマシーンに形成されたメダル受け皿に引っ掛けるためのコインケース取付具に関するものである。
【背景技術】
【０００２】
従来より、スロットマシーンの正面下部には、その本体から払い出されたメダルを受けると共に貯留可能なメダル受け皿が設けられている。このメダル受け皿は、通常、スロットマシーンが大当り状態となったときに払い出されるメダル合計数の２回分程度を貯留させることができるように設けられている。そのため、例えば、スロットマシーンが３回連続して大当りすると、大当り１回分のメダルがメダル受け皿から溢れてしまうため、遊技者は、溢れるメダルをメダル受け皿からコインケースに移し変えなければならなかった。そして、移し変えられたメダルを入れたコインケースを、スロットマシーンの上方位置に形成されたケース置き場、または遊技者の足元、または遊技者の膝の上に置いた状態で、遊技者は遊技を継続している。
【特許文献１】特開２００２−３５２１３号公報
【発明の開示】
【発明が解決しようとする課題】
【０００３】
しかしながら、上述したスロットマシーンでは、例えば、３回連続大当りして、そのうちの２回分のメダルをメダル受け皿で貯留させ、残りの１回分のメダルをコインケースに入れ、そのコインケースをケース置き場に置いた状態で大当り終了後も遊技者が遊技を継続している場合、遊技者はメダル受け皿のメダルを使い切ると、ケース置き場に置いたコインケースを降ろし、コインケース内のメダルをメダル受け皿に移し変えなければならなかった。このとき、例えば、遊技者が年配者、または女性のように、腕力が比較的に少ない遊技者の場合、メダルを入れたコインケースは重量が重いため、遊技者はコインケースを降ろすときにコインケースを落として床にメダルをばら撒いてしまうことがあった。また、同様の場合において、コインケースを遊技者の足元に置いていると、遊技者はメダル受け皿のメダルを使い切ると、足元に置いたコインケースを持ち上げて、コインケース内のメダルをメダル受け皿に移し変えなければならなかった。このときも、例えば、遊技者が年配者、または女性のように、腕力が比較的に少ない遊技者の場合、例えば、遊技者が老人、または女性のように、遊技者の腕力が比較的に少ない場合、メダルを入れたコインケースは重量が重いため、遊技者はコインケースを持ち上げることができないことがあった。また、同様の場合において、コインケースを遊技者の膝の上に置いていると、コインケースは不安定な状態であるため、遊技者は遊技中にコインケースを落として床にメダルをばら撒いてしまうことがあった。
これらの課題を解決する手段として、スロットマシーンのメダル受け皿の大型化が考えられた。しかし、メダル受け皿を大型化すると、スロットマシーン本体が大きくなってしまうため、遊技場におけるスロットマシーン１台あたりの設置スペースが大きくなってしまうという新たな課題が生じることになり、メダル受け皿の大型化の実用化には至っていなかった。
【０００４】
本発明は、このような課題を解決しようとするもので、その目的は、スロットマシーンのメダル受け皿およびコインケースを改造することなく、メダル受け皿におけるメダルの貯留量を実質的に増加させることができるコインケース取付具を提供することである。
【課題を解決するための手段】
【０００５】
本発明は、上記の目的を達成するためのものであって、以下のように構成されている。
請求項１に記載の発明は、コインケースの上縁部を引っ掛け可能な引っ掛け部を有する本体と、該本体をスロットマシーンに形成されたメダル受け皿に引っ掛け可能なフック部とからなる構成である。
この構成によれば、スロットマシーンのメダル受け皿およびコインケースを改造することなく、メダル受け皿にコインケースを引っ掛けることができるため、メダル受け皿におけるメダルの貯留量を実質的に増加させることができる。
【０００６】
また、請求項２に記載の発明は、請求項１に記載のコインケース取付具であって、前記コインケースの側面は、該底面に対して該開口面が広がるように傾斜しており、前記コインケースの上縁部を引っ掛け状態で前記メダル受け皿に引っ掛けると、該コインケースの底面が略水平状態となるように該コインケースの側面が押し当てられる押し当て部を備えている構成である。
この構成によれば、押し当て部によってコインケースの側面が押し当てられるため、コインケースの底面が略水平状態となるようにコインケースを引っ掛けることができる。これにより、コインケースの中に多くのコインを入れることができる。
【０００７】
また、請求項３に記載の発明は、請求項１〜２のいずれかに記載のコインケース取付具であって、前記引っ掛け部および前記フック部は、前記本体の一部を折り曲げることで形成されている。
これにより、簡便な構造でコインケース取付具を製造することができる。
【０００８】
また、請求項４に記載の発明は、請求項１〜２のいずれかに記載のコインケース取付具であって、前記フック部は、前記本体と接合されている棒部材の両端を折り曲げられ形成されている。
これにより、簡便な構造でコインケース取付具を製造することができる。
【発明を実施するための最良の形態】
【０００９】
以下、本発明を実施するための最良の形態を、図面を用いて説明する。
（実施例１）
まず、図１〜３によって実施例１を説明する。
図１は、実施例１におけるコインケース取付具１の全体斜視図である。図２は、コインケース取付具１を製造するための型板１０の展開図である。図３は、コインケース取付具１の使用状態を示す断面図である。
【００１０】
はじめに、コインケース取付具１の製造方法を説明する。図２における、１０は、コインケース取付具１を製造するための元となる型板１０であり、この型板１０を折り曲げることで、コインケース取付具１は製造されている。この型板１０を詳述すると、型板１０は、幅方向に延びた四角形状の本体１１と、この本体１１の中央部から上方向へ向けて突出する第１突出片１２と、この本体１１の両側部から第１突出片１２と同方向へ向けて突出する第２突出片１３とから構成されている。なお、この型板１０は、本体１１、第１突出片１２および第２突出片１３とが一体となるように、例えば、薄板形状の金属板（図示しない）から切り取られたものである。
【００１１】
また、１２ａは、第１突出片１２を本体１１と略平行方向となるように本体１１の表面側へ折り曲げるための折り曲げ線である。また、１２ｂは、折り曲げ線１２ａで折り曲げられた第１突出片１２の先端を紙面手前方向へ折り曲げるための折り曲げ線である。また、１３ａは、第２突出片１３を本体１１と略平行方向となるように本体１１の裏面側へ折り曲げるための折り曲げ線である。また、１３ｂは、折り曲げ線１３ａで折り曲げられた第２突出片１３の上半分をＵ字形状のフックとなるように本体１１の裏面側へ折り曲げるための折り曲げ線である。
【００１２】
また、型板１０の各サイズの一例を示すと、本体１１は、縦「３ｃｍ」、横「３０ｃｍ」である。また、第１突出片１２は、縦「５．５ｃｍ」、横「１５ｃｍ」である。また、第２突出片１３は、縦「１０ｃｍ」、横「２ｃｍ」である。また、折り曲げ線１２ａは、第１突出片１２の基端から「１ｃｍ」の位置にあり、折り曲げ線１２ｂは、第１突出片１２の先端から「１ｃｍ」の位置にある。
【００１３】
次に、このように形成された型板１０の第１突出片１２を本体１１と略平行方向となるように本体１１の表面側へ曲げ線１２ａに沿って折り曲げる。その後、第１突出片１２の先端を紙面手前方向へ折り曲げ線１２ｂに沿って折り曲げる。このとき、第１突出片１２の先端の折り曲げ角度は、本体１１に対して「約８０°」となるように折り曲げる。通常、コインケースの側面は、その底面に対してその開口面が広がるように傾斜してある。そのため、上記折り曲げ角度は、コインケースの側面の傾斜角度によって決められるものであり、「約８０°」に限定されるものではない。この折り曲げによって、コインケースの側面が押し当てられる押し当て部１２Ｃが形成されている。
【００１４】
続いて、第２突出片１３を本体１１と略平行方向となるように本体１１の表面側へ曲げ線１３ａに沿って折り曲げる。さらに、第２突出片１３の上半分をＵ字形状のフックとなるように本体１１の裏面側へ折り曲げる。これらの折り曲げを実施すると、型板１０から、図１に示すコインケース取付具１が製造される。
【００１５】
このコインケース取付具１の作用について説明する。上記したように、折り曲げ線１２ａに沿って第１突出片１２を折り曲げると、この折り曲げ部位（以下、実施例１において「引っ掛け部１４」と記す）にコインケースの上縁部を引っ掛けることができる。このように本体１１と一体に形成された第１突出片１２を折り曲げることで、コインケースの上縁部を引っ掛けることができる。そのため、実質的に、本体１１は引っ掛け部１４を備えた構成との解釈が可能である。このことが、特許請求の範囲に記載の「コインケースの上縁部を引っ掛け可能な引っ掛け部を有する本体」に相当する。
【００１６】
また、上記したように、折り曲げ線１３ｂに沿って第２突出片１３を折り曲げると、この折り曲げ部位（以下、実施例１において「フック部１５」と記す）をスロットマシーンに形成されたメダル受け皿に引っ掛けることができる。このことが、特許請求の範囲に記載の「本体をスロットマシーンに形成されたメダル受け皿に引っ掛け可能なフック部」に相当する。
【００１７】
続いて、コインケース取付具１の使用方法について説明する。まず、コインケース取付具１のフック部１５をスロットマシーンに形成されたメダル受け皿に引っ掛ける。この引っ掛け状態で、コインケースの上縁部を引っ掛け部１４に引っ掛ける。すると、コインケースは、その側面が押し当て部１２ｃに押し当てられる格好で引っ掛け部１４に引っ掛けられる。通常、スロットマシーンのメダル受け皿における遊技者側の面およびコインケース側面は上方が広がる方向へ傾斜している。そのため、このように押し当て部１２ｃが、コインケースの側面を押し当てると、コインケースの底面が略水平状態となるようにコインケースを引っ掛けることができる。これにより、コインケースの中に多くのコインを入れることができる。（請求項２）なお、コインケースには、そのサイズにもよるが、通常、大当り３回分のコインを入れることができる。
【００１８】
上述したコインケース取付具１によれば、スロットマシーンのメダル受け皿およびコインケースを改造することなく、メダル受け皿にコインケースを引っ掛けることができるため、メダル受け皿におけるメダルの貯留量を実質的に増加させることができる。（請求項１）すなわち、メダル受け皿には大当り２回分のメダルを貯留させることができ、コインケースには大当り３回分のメダルを入れることができるため、実質的に、メダル受け皿に大当り５回分のメダルを貯留させることができることに相当する。また、引っ掛け部１４およびフック部１５は、本体２の一部を折り曲げることで形成されている。これにより、簡便な構造でコインケース取付具１を製造することができる。（請求項３）
【００１９】
（実施例２）
次に、図４〜６によって実施例２を説明する。
図４は、実施例２におけるコインケース取付具２の全体斜視図である。図５は、コインケース取付具２の分解斜視図である。図６は、コインケース取付具２の使用状態を示す断面図である。
【００２０】
図５に示すように、このコインケース取付具２は、幅方向に延びた四角形状の本体２１と、この本体１１の表面に接合された棒部材２２とから構成されている。この接合はネジ２３による接合であるため、本体２１および棒部材２２の所定部位には、それぞれネジ孔２１ａ、２２ａが穿設されている。この本体２１は、例えば、薄板形状の金属板であるため、この上端部（以下、実施例２において「引っ掛け部２４」と記す）にコインケースの上縁部を引っ掛けることができる。このことが、特許請求の範囲に記載の「コインケースの上縁部を引っ掛け可能な引っ掛け部を有する本体」に相当する。
【００２１】
棒部材２２の両端は、一旦、上方に向けて折り曲げられた後、さらに下方に向けてＵ字形状となるように折り曲げられている。このように棒部材２２の両端を折り曲げると、この折り曲げ部位（以下、実施例２において「フック部２５」と記す）をスロットマシーンに形成されたメダル受け皿に引っ掛けることができる。このことが、特許請求の範囲に記載の「本体をスロットマシーンに形成されたメダル受け皿に引っ掛け可能なフック部」に相当する。
【００２２】
また、本体２１および棒部材２２の各サイズの一例を示すと、本体２１は、縦「４ｃｍ」、横「１６ｃｍ」である。また、棒部材２２は、直径「５ｍｍ」、横幅「３０ｃｍ」である。
【００２３】
続いて、コインケース取付具２の使用方法について説明する。実施例１で説明したコインケース取付具１と同様に、コインケース取付具２のフック部２５をスロットマシーンに形成されたメダル受け皿に引っ掛ける。この引っ掛け状態で、コインケースの上縁部を引っ掛け部２４に引っ掛ける。すると、棒部材２２の手前側が、コインケースの側面を押し当てるため、棒部材２２の厚みが実施例１で説明したコインケース取付具１における第１突出片１２の先端（押し当て部１２ｃ）と同様の作用を果たす。そのため、このコインケース取付具２でも、コインケース取付具１と同様に、コインケースの底面が略水平状態となるようにコインケースを引っ掛けることができる。これにより、コインケースの中に多くのコインを入れることができる。（請求項２）
【００２４】
上述したコインケース取付具２によれば、実施例１で説明したコインケース取付具１と同様の作用効果を得ることができる。そのため、スロットマシーンのメダル受け皿およびコインケースを改造することなく、メダル受け皿にコインケースを引っ掛けることができるため、メダル受け皿におけるメダルの貯留量を実質的に増加させることができる。（請求項１）また、フック部２５は、棒部材２２の両端を折り曲げることで形成されている。これにより、簡便な構造でコインケース取付具２を製造することができる。（請求項４）
【００２５】
上述した内容は、あくまでも本発明の一実施の形態に関するものであって、本発明が上記内容に限定されることを意味するものではない。
各実施例で説明したコインケース取付具１、２のサイズは、スロットマシーンのメダル受け皿およびコインケースに応じて任意に設計可能な数値である。
【図面の簡単な説明】
【００２６】
【図１】図１は、実施例１におけるコインケース取付具１の全体斜視図である。
【図２】図２は、コインケース取付具１を製造するための型板１０の展開図である。
【図３】図３は、コインケース取付具１の使用状態を示す断面図である。
【図４】図４は、実施例２におけるコインケース取付具２の全体斜視図である。
【図５】図５は、コインケース取付具２の分解斜視図である。
【図６】図６は、コインケース取付具２の使用状態を示す断面図である。
【符号の説明】
【００２７】
１      コインケース取付具（実施例１）
２      コインケース取付具（実施例２）
１１    本体
１２ｃ  押し当て部
１４    引っ掛け部
１５    フック部
２１    本体
２２    棒部材
２４    引っ掛け部
２５    フック部
【図１】
2007289485.tif 000003
【図２】
2007289485.tif 000004
【図３】
2007289485.tif 000005
【図４】
2007289485.tif 000006
【図５】
2007289485.tif 000007
【図６】
2007289485.tif 000008